(57)【要約】【課題】  動画などの映像情報を編集する際の簡単編集方法を提供する。【解決手段】  映像情報の複数の代表画をサムネイル化し、多画面の一覧として表示し、編集したい範囲の始点及び終点として代表画から選択する。選択が確定したら、始点として選択された代表画に対応する映像情報の前後所定の時間を再生し、所望の位置で始点を改めて確定する。同様に終点を確定することにより、所望の編集したい範囲の映像情報を選択することを容易に行うことができる。【選択図】      図２
2006270805.tif 000002
【特許請求の範囲】
【請求項１】
記憶媒体に記憶された映像情報を読み込む読み込み手段と、前記映像情報を映像信号に再生する再生手段と、再生された映像信号を表示部又は外部表示装置に出力するための信号処理手段と、前記映像情報を編集処理する制御手段と、該制御手段に動作を指示するための操作部とを備えた電子装置において、前記映像情報における代表画面をサムネイルとして一覧表示し、前記操作部の一部である送りキー若しくは戻しキーによってサムネイルの一覧上を移動するカーソルによって任意のサムネイルを選択して編集時の始点を決定した後、再度、送りキー若しくは戻しキーを押し続けることによって任意のサムネイル上までカーソルを移動させて編集時の終点を選択し、その終点が決定した状態で前記送りキー若しくは戻しキーを離すことにより、前記始点から終点までの映像情報を編集可能とする選択範囲決定手段を備えたことを特徴とする簡易映像編集方法。
【請求項２】
前記代表画面が、前記記憶媒体に予め記憶されたチャプター毎の静止画像であることを特徴とする請求項１記載の簡易映像編集方法。
【請求項３】
前記代表画面が、前記映像情報における時間軸に対し一定の間隔毎の静止画であることを特徴とする請求項１記載の簡易映像編集方法。
【請求項４】
前記代表画面が、利用者が任意に決定した映像情報の時間軸上の位置における複数の静止画であることを特徴とする請求項１記載の簡易映像編集方法。
【請求項５】
記憶媒体に記憶された映像情報を読み込む読み込み手段と、前記映像情報を映像信号に再生する再生手段と、再生された映像信号を表示部又は外部表示装置に出力するための信号処理手段と、前記映像情報を編集処理する制御手段と、該制御手段に動作を指示するための操作部とを備えた電子装置であって、前記映像情報を再生し、同時に前記映像情報と時間軸が同調する再生制御領域であるスライドバーと、該スライドバー上を移動し、再生時の現在位置を示すスライダを映像情報に重畳し、前記電子装置が備える操作部の一部である送りキー若しくは戻しキーによって、スライドバー上の任意の位置までスライダを移動させ、編集時の始点を決定した後、再度、送りキー若しくは戻しキーを押し続けることによってスライドバー上の任意の位置までスライダを移動させて編集時の終点を選択し、その終点が決定した状態で前記送りキー若しくは戻しキーを離すことにより、前記始点から終点までの映像情報を編集可能とする選択範囲決定手段を備えたことを特徴とする簡易映像編集方法。
【請求項６】
前記選択範囲決定手段にて選択した部分的な映像情報の前記始点及び前記終点を更に調整する調整手段を備え、該調整手段は、選択された前記始点及び前記終点の前後の所定の時間を再生し、所望の始点を操作者が決定し、前記終点において前記始点と同様に所望の終点を決定することを特徴とする請求項１から５の何れか１項に記載の簡易映像編集方法。
【請求項７】
請求項１から６の何れか１項に記載の簡易映像編集方法を、映像情報から所望の部分的映像情報を選択する選択範囲決定手段として備えたことを特徴とする簡易映像編集方法を備えた電子装置。
【発明の詳細な説明】
【技術分野】
【０００１】
本発明は、主に記憶媒体に記憶された映像情報の編集において、利用者が映像情報内の所望の部分の映像情報の始点及び終点の選択を容易に行うことができる簡易映像編集方法及びそれを備えた電子装置に関する。
【背景技術】
【０００２】
従来、記憶媒体に記録された動画などの映像情報を再生する装置には、該映像情報を利用者の所望の場面、長さを抜き出し、コピー・ダビングなどを行い、また、字幕や様々な特殊効果を映像情報に加えるなどの編集手段を備えたものが存在する。多くの映像編集装置は、映像情報をある単位ごとに区切ったチャプターやプログラムと呼ばれる単位で再生順を変更したり、一部を抜き出して新たな映像情報として構成する手段を備えている。また、以下の特許文献で開示されているように、より細かい編集の方法も多様に開示されている。
【０００３】
特許文献１では、モニタなどの表示部に第一領域及び第二領域という映像表示領域を備え、第一領域で編集映像の始点、第二領域で編集映像の終点を選択し、双方を確定した後、一方ずつ始点および終点の微調整を行い、始点及び終点に挟まれた映像情報を編集対象にするという編集方法が開示されている。
【０００４】
また、特許文献２では、複数の映像情報にそれぞれ対応する複数の画像データを表示装置に表示し、利用者の指示で映像情報の再生順を示す表示物を画像データに対応して表示し、その指定された表示順で映像情報を再生するという編集方法が開示されている。
【０００５】
【特許文献１】特開２００３−３２６０２号公報
【特許文献２】特開２０００−５０２０４号公報
【発明の開示】
【発明が解決しようとする課題】
【０００６】
しかしながら、特許文献１において、第一領域に始点、及び第二領域に終点を同時に表示することができ、始点及び終点を視認することは容易になるが、その始点及び終点で挟まれ、選択された利用者が所望する編集対象の映像情報が、映像情報全体に占める割合を判断することは困難である。
【０００７】
また、特許文献２では、複数の映像情報から所望の映像情報の再生順を指定して、指定順に再生することは可能ではあるが、記憶された映像情報の単位で指定することしかできず、一つの映像情報内の任意の位置から編集することが困難である。
【０００８】
本発明は上記課題を鑑みてなされたものであり、記憶媒体に記憶された映像情報から利用者が所望する編集対象の映像情報を容易に選択し、またその選択した映像情報の選択範囲に対して容易に修正することができる簡易映像編集方法及びそれを備えた電子装置を提供することを目的とする。
【課題を解決するための手段】
【０００９】
請求項１に係る簡易映像編集方法は、記憶媒体に記憶された映像情報を読み込む読み込み手段と、前記映像情報を映像信号に再生する再生手段と、再生された映像信号を表示部又は外部表示装置に出力するための信号処理手段と、前記映像情報を編集処理する制御手段と、該制御手段に動作を指示するための操作部とを備えた電子装置において、前記映像情報における代表画面をサムネイルとして一覧表示し、前記操作部の一部である送りキー若しくは戻しキーによってサムネイルの一覧上を移動するカーソルによって任意のサムネイルを選択して編集時の始点を決定した後、再度、送りキー若しくは戻しキーを押し続けることによって任意のサムネイル上までカーソルを移動させて編集時の終点を選択し、その終点が決定した状態で前記送りキー若しくは戻しキーを離すことにより、前記始点から終点までの映像情報を編集可能とする選択範囲決定手段を備えたことを特徴とする。
【００１０】
請求項１の構成によれば、映像情報が記憶されたＤＶＤ（Ｄｉｇｉｔａｌ  Ｖｅｒｓａｔｉｌｅ  Ｄｉｓｃ）やＨＤＤ（Ｈａｒｄ  Ｄｉｓｃ  Ｄｒｉｖｅ）などの記憶媒体から映像情報を読み込み、再生若しくは編集を行う電子装置において、該映像情報における複数の代表画面をサムネイル（画像や文書データを小さく表示したもの）化し、映像信号に変換してモニタなどの表示部に一覧として出力する。電子装置の操作部や遠隔操作装置に備えられた送りキー若しくは戻しキーを用いてカーソルを移動させ、サムネイル一覧上の所望の選択する映像情報の始点であるサムネイルにカーソルを合わせ、改めて送りキー若しくは戻しキーを押下し続けることにより始点を決定し、且つカーソルを移動させる。その後、所望の選択する映像情報の終点であるサムネイルにカーソルを合わせ、送りキー若しくは戻しキーを離すことにより、終点を決定する。以上により、任意に選択した始点及び終点もって記憶媒体に記憶された映像情報から所望の選択範囲を決定できる。
【００１１】
請求項２に係る簡易映像編集方法は、請求項１に記載の簡易映像編集方法において、前記記憶媒体に予め記憶されたチャプター毎の静止画像であることを特徴とする。
【００１２】
請求項２の構成によれば、請求項１記載のサムネイルは、記憶媒体に記憶されたチャプター（記憶された映像情報を区分する単位）毎の複数の代表画面であり、そのチャプター毎の代表画面の一覧から、所望の映像情報の始点及び終点を選択することができる。
【００１３】
請求項３に係る簡易映像編集方法は、請求項１に記載の簡易映像編集方法において、前記代表画面が、前記映像情報における時間軸に対し一定の間隔ごとの静止画であることを特徴とする。
【００１４】
請求項３の構成によれば、請求項１記載のサムネイルは、例えば映像情報全体から一定の時間間隔における静止画を読み取り、該静止画を代表画面として一覧表示したものであり、その静止画の代表画面の一覧から抜き出したい映像情報の始点及び終点を選択することができる。
【００１５】
請求項４に係る簡易映像編集方法は、請求項１に記載の簡易映像編集方法において、利用者が任意に決定した単一又は複数の映像情報の時間軸上の位置における静止画であることを特徴とする。
【００１６】
請求項４の構成によれば、請求項１記載のサムネイルは、利用者が任意に決定した位置の静止画とするので、始点及び終点を決定する際、請求項２及び３の場合に比べ、より細かい場所を指定することができる。
【００１７】
請求項５に係る簡易映像編集方法は、記憶媒体に記憶された映像情報を読み込む読み込み手段と、前記映像情報を映像信号に再生する再生手段と、再生された映像信号を表示部又は外部表示装置に出力するための信号処理手段と、前記映像情報を編集処理する制御手段と、該制御手段に動作を指示するための操作部とを備えた電子装置であって、前記映像情報を再生し、同時に前記映像情報と時間軸が同調する再生制御領域であるスライドバーと、該スライドバー上を移動し、再生時の現在位置を示すスライダを映像情報に重畳し、前記電子装置が備える操作部の一部である送りキー若しくは戻しキーによって、スライドバー上の任意の位置までスライダを移動させ、編集時の始点を決定した後、再度、送りキー若しくは戻しキーを押し続けることによってスライドバー上の任意の位置までスライダを移動させて編集時の終点を選択し、その終点が決定した状態で前記送りキー若しくは戻しキーを離すことにより、前記始点から終点までの映像情報を編集可能とする選択範囲決定手段を備えたことを特徴とする。
【００１８】
請求項５の構成によれば、映像情報が記憶されたＤＶＤやＨＤＤなどの記憶媒体から映像情報を読み込み、再生若しくは編集を行う電子装置において、映像情報を映像信号として再生し、表示部もしくは外部表示装置であるモニタに出力する際に、映像情報から部分的な映像情報を選択する手段としてスライドバー及びスライダを前記映像信号に重畳させて出力し、モニタに表示させる。スライドバーは、映像情報の時間軸と同調しており、例えばスライドバーの左端は映像情報の開始を示し、右端は終了を示す。モニタに映像情報が再生されており、表示されている画面と同調するように前記スライドバー上をスライダが移動する。利用者は、再生されている映像情報で、所望の始点として選択したい場面になったら、電子装置の制御部や遠隔操作装置に備えられた送りキー若しくは戻しキーを押下し続けることによりその場面を始点として決定する。その後スライダは、送りキー若しくは戻しキーを押下し続けている間移動し、所望の終点として選択したい場面になったら、送りキー若しくは戻しキーを離すことにより、その場面を終点として決定する。以上により、任意に選択した始点及び終点をもって記憶媒体に記憶された映像情報から所望の選択範囲を決定できる。
【００１９】
請求項６に係る簡易映像編集方法は、請求項１から請求項５の何れか１項記載の簡易映像編集方法において、前記選択手段にて選択した部分的な映像情報の前記始点及び前記終点を更に調整する調整手段を備え、該調整手段は、選択された前記始点及び前記終点の前後の所定の時間を再生し、所望の始点を操作者が決定し、前記終点において前記始点と同様に所望の終点を決定することを特徴とする。
【００２０】
請求項６の構成によれば、選択された部分的な映像情報の始点及び終点に対して、前後の所定の時間の範囲で再生を行い、再生中の場面にてそれぞれ始点及び終点を、操作者が改めて決定することにより、より正確に始点及び終点を選択することができる。
【００２１】
請求項７に係る簡易映像編集方法を備えた電子装置は、請求項１から６の何れか１項に記載の簡易映像編集方法を、映像情報から所望の部分的映像情報を選択する選択手段として備えたことを特徴とする。
【００２２】
請求項７の構成によれば、請求項１から６の何れか１項に記載の簡易編集方法を映像情報から利用者が所望の部分を選択する手段として備える電子機器により、利用者はこの選択手段により容易に映像情報の編集を行うことができる。
【発明の効果】
【００２３】
請求項１に係る簡易映像編集方法は、映像情報における複数の代表画面をサムネイル化し、一覧としてモニタなどの表示部に出力することにより、利用者は代表画面であるサムネイルを視認することにより、そのサムネイルが映像情報のどの場面か認識することが容易となり、そのサムネイルを使用することにより所望の始点及び終点を決定し、始点及び終点に挟まれた映像情報を選択範囲として容易に決定することができる。また、選択方法を一つの操作部で行うことにより、複雑な操作を必要とせず、容易に所望の始点及び終点を選択することができる。
【００２４】
請求項２に係る簡易映像編集方法は、前記サムネイルをチャプター毎の代表画面とする。チャプターは、多くの場合その映像情報の場面の切り替わり毎に設定されているため、利用者は該サムネイルにより、どの場面かを容易に認識することができ、これにより容易に所望の部分的な映像情報を選択することができる。
【００２５】
請求項３に係る簡易映像編集方法は、前記サムネイルを所定の一定時間間隔における静止画とするので、利用者は該サムネイルにより、前記請求項２に比べて細かく始点及び終点の位置を選択することができる。
【００２６】
請求項４に係る簡易映像編集方法は、前記サムネイルを利用者が任意に決定した映像情報の時間軸上の位置における複数の静止画とするので、自由度の高い始点及び終点の決定方法を提供することができる。
【００２７】
請求項５に係る簡易映像編集方法は、映像情報を再生し、表示部に映像信号を出力する際に、該映像情報と時間軸を同調した再生制御領域であるスライドバー及び表示される場面が映像情報全体においてどの位置にあるかを示す前記スライドバー上に表示されるスライダを映像信号に重畳させ、モニタなどに出力するため、利用者はモニタに表示されている映像が、全体に対してどの位置にあるかを容易に認識することができる。また、モニタに出力された映像を確認しながら始点及び終点を決定することができるため、利用者は所望の映像情報の選択範囲を容易に決定することができる。
【００２８】
請求項６に係る簡易映像編集方法は、前記請求項１から５のように決定された始点及び終点に対して、その前後の所定時間の範囲の映像情報を再生し、利用者はそれを視認しながら所望の始点及び終点を決定することができるので、利用者は所望の始点及び終点を改めて正確に決定することができる。
【００２９】
請求項７に係る簡易映像編集方法を備えた電子装置は、前記請求項１から６に記載の簡易映像編集方法を備えているので、利用者は所望の部分の映像情報を記憶媒体から選択し抜き出すことができ、これにより所望の部分のコピーやカット、編集やダビングなどを容易に行うことができる。
【発明を実施するための最良の形態】
【００３０】
以下、本発明を実施するための最良の形態としての実施例を図１から図６を参照して説明する。もちろん、本発明は、その発明の趣旨に反さない範囲で、実施例において説明した以外のものに対しても容易に適用可能なことは説明を要するまでもない。
【００３１】
図１から図６は、本発明の一実施例を示し、図１は、実施例１における電子装置の構成を示すブロック図である。図２は、実施例１における複数代表画面による始点及び終点を選択する動作を示すフローチャートであり、図３は、始点及び終点の詳細な位置を決定する動作を示すフローチャートである。図４は実施例１における複数代表画面による始点及び終点を選択する動作の一例を表示したモニタの状態遷移図である。図５は実施例２におけるスライドバー及びスライダを用いて始点及び終点を選択する動作を示すフローチャート図であり、図６は実施例２におけるスライドバー及びスライダによる始点及び終点を選択する動作の一例を表示したモニタの状態遷移図である。
【実施例１】
【００３２】
図１において、１は例えばＤＶＤ記憶再生装置などに代表される電子装置であり、２はＤＶＤ若しくはＨＤＤなどの映像情報の記憶媒体である。３は記憶媒体２に記憶された情報を再生する再生手段であり、４は再生手段３によって再生された映像情報の信号処理を行う信号処理手段である。５は信号処理手段４にて信号化された映像情報を表示するモニタなどに代表される表示手段である。６は利用者による操作を制御する制御手段であり、７は操作部、８は受信部であり、９は受信部に操作情報を送信する遠隔操作装置である。制御手段６は操作部７若しくは遠隔操作装置９により入力された操作信号を受け、再生手段や信号処理手段の制御を行う。
【００３３】
図２に示すフローチャートは実施例１における記憶媒体から映像情報を読み出し、その映像情報を編集する際に、編集する映像部分の始点及び終点を決定する動作を示している。最初に利用者が記憶媒体に記録されている映像情報を編集する旨の選択を電子装置に通知する（Ｓ１）。その後、前記記憶媒体に記憶された単一もしくは複数の映像情報から一つを選択する（Ｓ２）。選択された映像情報のチャプター毎の代表画面をサムネイルとして一覧表示する（Ｓ３）。送りキー若しくは戻しキーを用いてカーソルを移動させ（Ｓ４）、選択したサムネイルが所望の始点Ａであるかを判別し（Ｓ５）、所望の始点Ａである場合はカーソルの移動を停止させる（Ｓ６）。始点Ａの決定が終わったら、次に終点Ｂを決定する。始点Ａと同様の方法で送りキー若しくは戻しキーを押し続けることによって移動させ、操作し終点Ｂを選択する（Ｓ７）。このとき、選択した始点Ａとカーソルの間に挟まれたサムネイルは色を変更するなどして選択範囲を明示する（Ｓ８）。送りキー若しくは戻しキーを利用者が離したかを判定し（Ｓ９）、離した場合、カーソルの移動を停止させ（Ｓ１０）、カーソルの停止位置となったサムネイルを終点Ｂとして確定する（Ｓ１１）。これにより、大まかな始点及び終点が決定する。
【００３４】
以上の動作における操作例として図４に示す。図４（ａ）は表示手段５であるモニタに表示されたサムネイル一覧を示している。仮にサムネイルＴ２からサムネイルＴ６までを利用者が選択する場合、まず送りキー若しくは戻しキーを用いてサムネイルＴ２にカーソル１０を移動する。再度送りキーもしくは戻しキーを押し続け、Ｔ２を始点Ａとして決定し、そのままカーソル１０が移動を開始する。移動中のカーソル１０をサムネイルＴ６へ合わせる。この移動の際、サムネイルＴ２とカーソル１０に挟まれたサムネイルは色を変更し強調（ハイライト）する。すなわち、例えば現在のカーソル１０がサムネイルＴ４にあったとすると、サムネイルＴ２，Ｔ３，Ｔ４を強調し、選択範囲であることを明示する。カーソルがサムネイルＴ６への移動を終えたら、送りキーもしくは戻しキーを離し、サムネイルＴ６を終点Ｂとして確定させる。図４（ａ）は送りキーによる選択方法を示しているが、(ｂ)のように戻しキーを用いて終点から選択しても良い。
【００３５】
次に、前述のように決定された始点Ａ及び終点Ｂに対して、微調整を行う。図３に示すように、前記確定した始点Ａの前後の所定時間の範囲の映像を記憶媒体から読み出し、自動的に再生を行う（Ｓ１２）。この再生中は、一時停止、早戻し、早送り、スロー再生などの通常の再生中に行われる各種命令を操作部又は遠隔操作装置を通じて制御手段により行えるものとする。再生中に、所望の始点Ｃに到達した場合、利用者は、制御手段を通じてその旨を電子装置に通知する（Ｓ１３）。これにより始点Ｃを詳細な位置に改めて設定することができる（Ｓ１４）。詳細な始点Ｃの設定を終えたら、続いて自動的に詳細な終点Ｄの設定に移行する。詳細な始点Ｃの設定と同様に、前記確定した終点Ｂの前後の所定時間の範囲の映像を記憶媒体から読み出し、自動的に再生を行う（Ｓ１５）。再生中に所望の終点Ｄに到達した場合、利用者は、制御手段を通じてその旨を電子装置に通知する（Ｓ１６）。これにより終点Ｄを詳細な位置に改めて設定することができる（Ｓ１７）。以上により詳細な始点Ｃおよび終点Ｄが確定され、利用者は所望の映像を記憶媒体に記録された映像情報から選択することができる。また、前述の詳細な始点Ｃおよび終点Ｄの設定の際に、設定をキャンセルした場合は、大まかに決定した始点Ａ及び終点Ｂを選択範囲として設定する（Ｓ１９）。
【００３６】
以上のように構成される実施例１において、利用者は画面に表示された代表画面のサムネイルの一覧からカーソル１０を移動させ、大まかな選択範囲の始点を決定する。続いて、更にカーソルを移動させ、終点であるサムネイルを選択する。このとき、選択範囲のサムネイルを強調（ハイライト）することにより、利用者は現在どのサムネイルを選択しているか、画面により容易に視認することができる。更に、選択した始点の前後の所定時間の範囲の映像情報を自動的に再生し、利用者は所望の詳細な始点を改めて選択する。続いて、選択した終点の前後の所定時間の範囲の映像情報を自動的に再生し、利用者は所望の詳細な終点を改めて選択する。このように、利用者は、映像情報の所望の範囲を、上記のように始点及び終点を決定することにより、容易且つ正確に選択範囲を決定することができる。尚、前記サムネイルをチャプター毎の代表画面としたが、特にこれに限定せず、映像情報全体から所定の一定時間間隔毎の静止画をサムネイルとして用いてもよいし、利用者が事前に映像情報の位置を指定し、その位置の静止画をサムネイルとして用いてもよい。
【実施例２】
【００３７】
図５及び図６は本発明の実施例２を示し、前記実施例１と同一部分には同一符号を付し、その詳細な説明を省略する。図５はスライドバー１１を用いて始点及び終点を選択する動作を示すフローチャートであり、図６はスライドバー１１を用いて始点及び終点を選択する動作の一例を表示した出力手段５であるモニタの正面図である。図５に示すフローチャートは、実施例２における記憶媒体から映像情報を読み出し、その映像情報を編集する際に、編集する映像部分の始点及び終点を決定する動作を示している。最初に利用者が記憶媒体に記録されている映像情報を編集する旨の選択を電子装置に通知する（Ｓ２０）。その後、記憶媒体に記録された映像情報の再生を行う（Ｓ２１）。それとほぼ同時に映像情報の時間軸と同期したスライドバー１１と再生している映像情報の時間軸上の位置を示すスライダ１２を再生された映像に重畳させて表示する（Ｓ２３）。送りキー若しくは戻しキーを用いてスライドバー１１上にてスライダ１２を移動させ、始点Ａの位置を選択する（Ｓ２４）。所望の開始位置に到達し、始点を確定されたかどうかを判別し（Ｓ２５）、始点Ａの位置を確定する（Ｓ２６）。その後自動的に終点Ｂの位置を確定する動作に移る。送りキー若しくは戻しキーを押し続けスライダ１２を移動させる（Ｓ２７）。その際、スライダ１２と始点Ａに挟まれた暫定的な選択範囲のスライドバー１１の色を変える（Ｓ２８）。送りキーもしくは戻しキーを離したかを判別し（Ｓ２９）、離した場合スライダ１２を停止させ（Ｓ３０）、スライダ１２停止位置を終点Ｂとして確定する。続いて実施例１の詳細な始点及び終点の設定と同様の動作を行い、利用者の所望の始点及び終点を正確且つ容易に選択することができる。
【００３８】
以上のように構成される実施例２において、利用者は画面に表示された映像情報全体の時間軸と同期したスライドバー１１上を移動するスライダ１２を操作部又は遠隔操作装置の送りキー若しく戻しキーを用いて移動させ、所望の位置で改めて送りキー若しくは戻しキーを押し続けることにより、大まかな選択範囲の始点を決定する。続いて、更にスライダ１２がそのまま移動を開始するので、所望の位置で送りキー若しくは戻しキーを離すことにより、終点を選択する。このとき、スライドバー１１上の始点とスライダ１２で挟まれた部分の色を変更することにより、利用者が映像情報全体における選択範囲の占める割合を容易に視認することができる。この後、実施例１と同様な方法で始点及び終点の詳細な位置調整を行う。
【図面の簡単な説明】
【００３９】
【図１】本発明の実施例1を示す、電子装置の構成を示すブロック図である。
【図２】同上、映像情報編集の際の動作を示すフローチャート図である。
【図３】同上、図２の動作で決定した始点及び終点の詳細な位置を決定する動作を示すフローチャート図である。
【図４】同上、操作例の表示部の正面を示す画像の状態遷移図である。
【図５】本発明の実施例２を示す、映像情報編集の際の動作を示すフローチャート図である。
【図６】同上、操作例の表示部の正面を示す画像の状態遷移図である。
【符号の説明】
【００４０】
１    電子装置
２    記憶媒体
３    再生手段
４    信号処理手段
５    表示手段
６    制御手段
７    操作部
８    受信部
９    遠隔操作装置
１０    カーソル
１１    スライドバー
１２    スライダ
Ａ    始点
Ｂ    終点
【図１】
2006270805.tif 000003
【図２】
2006270805.tif 000004
【図３】
2006270805.tif 000005
【図４】
2006270805.tif 000006
【図５】
2006270805.tif 000007
【図６】
2006270805.tif 000008